(57)【要約】【課題】  食器を洗浄する食器洗い機では、引き出し体である洗浄槽１に食器を収容すると洗浄槽１の重量が重くなり、洗浄槽１を収納体である筐体２に挿入しようとして移動する際には大きな力が必要であった。また、洗浄が済んで食器が収容されている洗浄槽１を筐体２から引き出そうとして移動する際にも同様に大きな力が必要であり、操作しづらいという問題点があった。【解決手段】  洗浄槽１が筐体２に挿入された状態にあるときには洗浄槽１に引き出し方向の駆動力を与え、洗浄槽１が筐体２から引き出された状態にあるときには挿入方向の駆動力を与えるように蓄勢される弾性体を洗浄槽１と筐体２の間に配置するようにした。【選択図】    図１
2005087265.tif 000002
【特許請求の範囲】
【請求項１】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、前記引き出し体と前記収納体の間に配置され、前記第１の状態にあるときは前記引き出し体に引き出し方向の駆動力を、第２の状態にあるときは挿入方向の駆動力を蓄勢する弾性体を備えたことを特徴とする引き出し装置。
【請求項２】
前記弾性体が、一端が前記引き出し体に、他端が前記収納体に係合し得るように配置された１つ以上の弾性体からなることを特徴とする請求項１に記載の引き出し装置。
【請求項３】
前記弾性体が、板バネ、コイルバネ、ねじりバネ、空気バネ、弾性を有する樹脂又はゴムにより構成されたことを特徴とする請求項１又は請求項２に記載の引き出し装置。
【請求項４】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、一端が前記引き出し体に固着された弾性体、前記収納体に設けられ、前記引き出し体が前記第１の状態にあるとき前記弾性体の自由端と係合する第１の係合片と前記引き出し体が前記第２の状態にあるとき前記弾性体の自由端と係合する第２の係合片を備え、前記弾性体に、前記引き出し体が前記第１の状態にあるときは引き出し方向の駆動力を、前記第２の状態にあるときは挿入方向の駆動力を蓄勢させるようにしたことを特徴とする引き出し装置。  
【請求項５】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、一端が前記収納体に固着された第１および第２の弾性体、前記引き出し体に設けられ、前記引き出し体が前記第１の状態にあるときは前記第１の弾性体の自由端と係合し、前記引き出し体が前記第２の状態にあるとき前記第２の弾性体の自由端と係合する係合片を備え、前記引き出し体が前記第１の状態にあるときは前記第１の弾性体に引き出し方向の駆動力を、前記第２の状態にあるときは前記第２の弾性体に挿入方向の駆動力を蓄勢させるようにしたことを特徴とする引き出し装置。
【請求項６】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、一端が前記引き出し体又は前記収納体に固着された第１の弾性体と一端が前記収納体又は前記引き出し体に固着された第２の弾性体、前記収納体又は前記引き出し体に設けられ前記引き出し体が前記第１の状態にあるとき前記第１の弾性体の自由端と係合する第１の係合片と、前記引き出し体又は前記収納体に設けられ前記引き出し体が前記第２の状態にあるとき前記第２の弾性体の自由端と係合する第２の係合片を備え、前記引き出し体が前記第１の状態にあるときは前記第１の弾性体に引き出し方向の駆動力を、前記第２の状態にあるときは前記第２の弾性体に挿入方向の駆動力を蓄勢させるようにしたことを特徴とする引き出し装置。
【請求項７】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、前記収納体に設けられた第１および第２のバネ受け、前記引き出し体に設けられた係合片、この係合片をゆるく貫通して一端が前記第１のバネ受けに、他端が前記第２のバネ受けに連結された通し棒、この通し棒に挿通され、前記第１のバネ受けと前記係合片の間に配置された第１の圧縮コイルバネ、前記通し棒に挿通され、前記第２のバネ受けと前記係合片の間に配置された第２の圧縮コイルバネを備え、前記引き出し体が前記第１の状態にあるときは前記第１の圧縮コイルバネに引き出し方向の駆動力を、前記第２の状態にあるときは前記第２の圧縮コイルバネに挿入方向の駆動力を蓄勢させるようにしたことを特徴とする引き出し装置。
【請求項８】
少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、一端が前記収納体の上辺に固着又は引き出し体の移動方向の所定の範囲において摺動自在に取り付けられ、他端が前記引き出し体に固着又は引き出し体の移動方向の所定の範囲において摺動自在に取り付けられた引張コイルバネを備え、前記引き出し体が前記第１の状態にあるときは前記引張コイルバネに引き出し方向の駆動力を、前記第２の状態にあるときは挿入方向の駆動力を蓄勢させるようにしたことを特徴とする引き出し装置。
【請求項９】
前記引き出し体に設けられたノブに連動して前記第１の係止部による係止及び前記第２の係止部による係止を解除する解除片を備えたことを特徴とする請求項１〜請求項８のいずれかに記載の引き出し装置。
【発明の詳細な説明】
【技術分野】
【０００１】
この発明は、例えば食器洗い機や冷蔵庫に装備される引き出し自在に構成された引き出し装置に関するものである。
【背景技術】
【０００２】
従来の、例えば食器洗い機の引き出し装置では、筐体の底面に設けられている前足部及び後足部の高さを、前足部を後足部より低くすることにより、食器洗い機を前傾姿勢とし、筐体から洗浄庫を引き出すときに、洗浄庫を斜め前下向きに移動させるようにして、これにより洗浄庫に自重成分を作用させて洗浄庫を小さな力で引き出すことができるようにしている。（例えば、特許文献１参照）。
また、駆動モータを利用して洗浄槽の引き出し、収納を助勢するものや、引き込みバネを利用して洗浄槽を自動的に引き込むようにしているものもある。（例えば、特許文献２参照）
【０００３】
【特許文献１】特開２００２−２９１６７４号公報（第１図、第２図）
【０００４】
【特許文献２】特開２００２−３４５７１２号公報（第１図、第２図）
【発明の開示】
【発明が解決しようとする課題】
【０００５】
上記のように、従来の例えば食器洗い機の引き出し装置では、筐体を前傾姿勢にしているため、洗浄庫を引き出すときは自重成分が加わり小さな力で引き出すことができるが、逆に洗浄庫を筐体内に挿入する際には、この自重成分が反力となり、洗浄庫を押し入れるのに大きな力を要するという問題点があった。
また、駆動モータを使用するための電源、電気回路等の設備を設けるためコストが高く、かつ食器洗い機の重量が増すという問題点があった。
【０００６】
この発明は、上述のような課題を解決するためになされたもので、引き出し体を収納体から引き出すとき、及び収納体に挿入するときに小さな力ですむ引き出し装置を提供するものである。
また、駆動モータを使用せず、そのための電気設備が不要で、従ってコストが低く、重量の軽い引き出し装置を提供するものである。
【課題を解決するための手段】
【０００７】
この発明に係わる引き出し装置は、少なくとも一面に開口部を有する収納体、前記開口部を介して前記収納体に挿入、及び引き出される引き出し体、前記引き出し体を前記収納体に挿入された第１の状態に係止し、引き出し時に解除される第１の係止部、前記引き出し体を前記収納体から引き出された第２の状態に係止し、挿入時に解除される第２の係止部、前記引き出し体と前記収納体の間に配置され、前記第１の状態にあるときは前記引き出し体に引き出し方向の駆動力を、第２の状態にあるときは挿入方向の駆動力を与えるように蓄勢する弾性体を備えたものである。
【発明の効果】
【０００８】
この発明によれば、引き出し体を収納体から引き出すとき、及び収納体に挿入するときに小さい力ですみ、操作の負担を軽減することが出来る。
【発明を実施するための最良の形態】
【０００９】
実施の形態１．
図１はこの発明の引き出し装置を、例えば食器洗い機に適用した場合の概略側面断面図であり、引き出し体である食器等を収容する洗浄槽１が収納体である筐体２の開口部３を介して筐体２内に挿入され、係止されている状態を示している。ここでは、簡単のため引き出し機構以外の部品は図示していない。筐体２に取り付けられた筒体４に収容されているラッチピン５は圧縮バネ６の伸張により洗浄槽１に設けられている第１のストッパー穴７に陥入されて、洗浄槽１を筐体２に挿入した状態（以下、第１の状態という）に係止している。即ち、前記ラッチピン５、圧縮バネ６及びストッパー穴７は洗浄槽１を第１の状態に係止する第１の係止部２２を構成している。ラッチピン５は圧縮バネ６によりストッパー穴７に嵌挿されている第１のスライドピン８を押圧している。
【００１０】
スライドピン８の下部は上部より径が細くなっており、更にストッパー穴７の底部にはスライドピン８の上部は通さず下部のみを通す孔があって、その孔にスライドピン８の下部が入り込み、引き出し用ノブ１１に連動する第１の解除片１１Ｂに当接している。引き出し用ノブ１１及び解除片１１Ｂは取付部１１Ａを支点として図１に示した位置から反時計方向に回動し得るように洗浄槽１に取り付けられており、その回動によりスライドピン８を圧縮バネ６に抗して押し上げ、係止部２２による係止を解除するように作用する。洗浄槽１に一端が固着されている弾性体である板バネ１３は、図示の第１の状態では自由端が筐体２に設けられている第１の係合片１４Ａに係合し、洗浄槽１を筐体２から引き出す方向に力が作用するように蓄勢されている。
【００１１】
レール１５は洗浄槽１に取り付けられており、筐体２に取り付けられているローラ１６（図では４つ図示されている）に挾持されている。従って、レール１５が取り付けられている洗浄槽１はローラ１６によって保持され、更には移動自在となっている。尚、図示していないが、洗浄槽１の反対側には同様にレールが、筐体２の反対側にはローラが取り付けられ、洗浄槽１の保持を確実なものに、そして移動をスムーズなものにしている。
【００１２】
図２は洗浄槽１が筐体２に挿入されていた第１の状態から引き出されている途中を示す図であり、ラッチピン５の先端は洗浄槽１に対して摺動可能な構成とし、洗浄槽１が移動するときは洗浄槽１に設けられたストッパー穴７と後述するストッパー穴９の間を自在に摺動し、洗浄槽１の移動を妨げない構造となっている。
【００１３】
図３は洗浄槽１が筐体２の開口部３を介して外に引き出され、係止されている状態を示している。ラッチピン５は圧縮バネ６の伸張により洗浄槽１に設けられている第２のストッパー穴９に陥入されて、洗浄槽１を筐体２から引き出された状態（以下、第２の状態という）に係止している。即ち、ラッチピン５、圧縮バネ６及びストッパー穴９は洗浄槽１を第２の状態に係止する第２の係止部２３を構成している。ラッチピン５は圧縮バネ６によりストッパー穴９に嵌挿されている第２のスライドピン１０を押圧している。
【００１４】
スライドピン１０はスライドピン８と同様に下部は上部より径が細くなっており、ストッパー穴９の底部にはストッパー穴７と同様にスライドピン１０の上部は通さず下部のみを通す孔があって、その孔にスライドピン１０の下部が入り込み、挿入用ノブ１２に連動する第２の解除片１２Ｂに当接している。挿入用ノブ１２及び解除片１２Ｂは取付部１２Ａを支点として図３に示した位置から時計方向に回動し得るように洗浄槽１に取り付けられており、その回動によりスライドピン１０を圧縮バネ６に抗して押し上げ、係止部２３による係止を解除するように作用する。洗浄槽１に一端が固着されている板バネ１３は、図示の第２の状態では自由端が筐体２に設けられている第２の係合片１４Ｂに係合し、洗浄槽１を筐体２の中に挿入する方向に力が作用するように蓄勢されている。
【００１５】
尚、図１及び図２においては、図の煩雑さを避けるため挿入用ノブ１２及び解除片１２Ｂの図示を省略し、同様に図３においては引き出し用ノブ１１及び解除片１１Ｂの図示を省略している。また、引き出し用ノブ１１及び解除片１１Ｂならびに挿入用ノブ１２及び解除片１２Ｂは一体物で構成してもよいし、別々なものをリンク構造で連動するように構成してもよいが、引き出し用ノブ１１及び解除片１１Ｂと、挿入用ノブ１２及び解除片１２Ｂとは相互の動きが干渉して制限されることのないように、両者は互いに交錯しないよう構成、配置されていることはいうまでもない。更にまた、洗浄槽１は食器類等の出し入れのため上面が開口された構成であるが、このためストッパー穴７、ストッパー穴９、スライドピン８及びスライドピン１０は洗浄槽１の上部の枠を利用して構成されるようにしている。
【００１６】
次に動作について説明する。図１において、一端が洗浄槽１に固着された板バネ１３は、自由端が係合片１４Ａに係合して洗浄槽１を筐体２から引き出す方向に力が作用するように蓄勢されているが、ラッチピン５がストッパー穴７に陥入しているため、洗浄槽１が筐体２の外に引き出す方向に移動しようとしてもラッチピン５がストッパー穴７の壁に当って移動は阻止される。このとき、洗浄槽１を引き出すための第１の操作として、引き出し用ノブ１１を引き上げることにより、引き出し用ノブ１１に連動する解除片１１Ｂが反時計方向に回動し、圧縮バネ６に抗してスライドピン８を押し上げ、これによりラッチピン５がストッパー穴７の上に出てストッパー穴７から開放され、即ち係止部２２による係止が解除されて洗浄槽１は移動可能な状態になる。
【００１７】
このとき、前述の通り板バネ１３の自由端は係合片１４Ａに係合し、洗浄槽１を筐体２から引き出す方向に力が作用するように蓄勢されているため、洗浄槽１を引き出すための第２の操作として引き出し用ノブ１１に洗浄槽１を引き出す力を与えると、板バネ１３が作用する力が補助力として加わり、小さな力で洗浄槽１を動かし始めることができる。図２は洗浄槽１の移動中を示すものであるが、引き出し用ノブ１１に連動する解除片１１Ｂは引き上げられた状態であり、そのためスライドピン８も押し上げられている。従って、ラッチピン５はストッパー穴７から押し出されて洗浄槽１が移動するに伴い、洗浄槽１の上部を摺動する。
洗浄槽１の上部を摺動していたラッチピン５は、洗浄槽１が更に引き出されてストッパー穴９がラッチピン５の位置にくると、ラッチピン５がストッパー穴９に陥入し、後述の図３に示すように洗浄槽１を係止部２３により第２の状態に係止する。
【００１８】
一般に静止物を動かすときに抵抗となる力は、動き出す瞬間の最大静止摩擦力と動き始めた後の動摩擦力がある。最大静止摩擦力は動摩擦力よりも大きいため、洗浄槽１の動き始めさえ補助力が加われば、動かすための負担は大幅に低減される。
尚、洗浄槽１を引き出すために行う上記第１の操作及び上記第２の操作は一連の動きの中で行われ、上記第１の操作時にラッチピン５がストッパー穴７の上に出る、即ち係止部２２による係止の解除が行われ、この係止の解除にともなって板バネ１３の作用する力が上記第２の操作の補助力として働き、従って洗浄槽１を小さな力で引き出すことができるものである。
【００１９】
次に図３に基づいて洗浄槽１を挿入する際の動作説明を行う。図３は洗浄槽１が係止部２３により第２の状態に係止されており、一端が洗浄槽１に固着された板バネ１３は、自由端が係合片１４Ｂに係合して洗浄槽１を筐体２の中に挿入する方向に力が作用するように蓄勢されているが、ラッチピン５がストッパー穴９に陥入しているため、洗浄槽１が筐体２の中に挿入される方向に移動しようとしてもラッチピン５がストッパー穴９の壁に当って移動は阻止される。
【００２０】
このとき、洗浄槽１を挿入するための第１の操作として、挿入用ノブ１２を下に押し下げることにより、挿入用ノブ１２に連動する解除片１２Ｂが時計方向に回動し、圧縮バネ６に抗してスライドピン１０を押し上げ、これによりラッチピン５がストッパー穴９の上に出てストッパー穴９から開放され、即ち係止部２３による係止が解除されて洗浄槽１は移動可能な状態になる。このとき、前述の通り板バネ１３の自由端は係合片１４Ｂに係合し、洗浄槽１を筐体２に中に挿入する方向に力が作用するように蓄勢されているため、洗浄槽１を挿入するための第２の操作として挿入用ノブ１２を持って洗浄槽１を筐体２の中に挿入するように押す力を与えると板バネ１３が作用する力が補助力として加わり、小さな力で洗浄槽１を動かし始めることができる。洗浄槽１が筐体２に挿入されるように移動するに伴い、ラッチピン５は洗浄槽１の上部を摺動し、洗浄槽１が更に挿入されてストッパー穴７がラッチピン５の位置にくると、ラッチピン５がストッパー穴７に陥入し、前述の図１に示すように洗浄槽１を第１の状態に係止する。
【００２１】
尚、洗浄槽１を挿入するために行う上記第１の操作及び上記第２の操作は一連の動きの中で行われ、上記第１の操作時にラッチピン５がストッパー穴９の上に出る、即ち係止部２３による係止の解除が行われ、この係止の解除にともなって板バネ１３の作用する力が上記第２の操作の補助力として働き、従って洗浄槽１を小さな力で挿入することができるものである。
【００２２】
この実施の形態１によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても板バネ１３が係合片１４Ａ又は１４Ｂに当るときに緩衝材として働くため洗浄槽１に過大な力が加わることが無く、従って洗浄槽１の中に収容された食器類に与えられる衝撃を緩和するという効果もある。
更に、板バネ１３が係合片１４Ａ又は１４Ｂに係合している状態では、洗浄槽１に引き出し方向又は挿入方向への力のほかに上向きの力も同時に作用し、その上向きの力によって洗浄槽１の重量を軽減することになるので洗浄槽１をより一層小さな力で引き出し、挿入することに寄与すると同時に、洗浄槽１を支持しているレール１５とローラ１６の負担も軽減する効果がある。
【００２３】
実施の形態２．
実施の形態１では弾性体として１つの板バネを使用した例を示したが、２つの板バネを使用した実施の形態を図４に基づいて説明する。
図４においては弾性体１３が２つの板バネ１３Ａ、１３Ｂにより構成される。第１の板バネ１３Ａ及び第２の板バネ１３Ｂは各々一端が洗浄槽１に固着され、各々の自由端は連結材１７により連結されている。図４では洗浄槽１は、係止部２２により第１の状態に係止されており、板バネ１３Ａは、図示の状態では自由端が係合片１４Ａに係合し、洗浄槽１を筐体２から引き出す方向に力が作用するように蓄勢されているが、板バネ１３Ｂもその自由端が板バネ１３Ａの自由端と連結されているため、板バネ１３Ａが蓄勢されると同様に洗浄槽１を筐体２から引き出す方向に力が作用するように蓄勢されている。
【００２４】
図示しないが、洗浄槽１が第２の状態に係止されているときは、板バネ１３Ｂの自由端が係合片１４Ｂに係合し、各々自由端が連結されている板バネ１３Ａ及び１３Ｂは、洗浄槽１を筐体２の中に挿入する方向に力が作用するように蓄勢される。
【００２５】
次に動作であるが、実施の形態１と板バネの数及び構成が異なるだけで、動作については略同様であるため説明は省略する。  
【００２６】
この実施の形態２によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても板バネ１３Ａと１３Ｂが緩衝材として働くため洗浄槽１に過大な力が加わることが無く、従って洗浄槽１の中に収容された食器類に与えられる衝撃を緩和するという効果もある。
また、板バネ１３Ａ、１３Ｂが共同して作用するので実施の形態１と同じ仕様の板バネを利用することにより実施の形態１に比し大きな補助力が得られる。
また、実施の形態１と同等の補助力を得る場合は実施の形態１に比し板バネを小型にすることができる。
また、食器洗い機の筐体内はモータ等の部品が設置されており、係合片１４Ａ、１４Ｂの取付位置を適切に選択できない場合もあるが、この実施例では板バネ１３Ａと１３Ｂの間隔を変えることにより、係合片１４Ａ、１４Ｂの設置位置の自由度が増すという効果も得られる。
更に、弾性体１３が係合片１４Ａ又は１４Ｂに係合している状態では、洗浄槽１に引き出し方向又は挿入方向への力のほかに上向きの力も同時に作用し、その上向きの力によって洗浄槽１の重量を軽減することになるので洗浄槽１をより一層小さな力で引き出し、挿入することに寄与すると同時に、洗浄槽１を支持しているレール１５とローラ１６の負担も軽減する効果がある。
【００２７】
尚、図４では弾性体１３を板バネ１３Ａと１３Ｂの２枚で構成し、これらを連結材１７で連結した例を示したが、板バネを３枚以上使用して連結しても良い。
また、板バネ１３Ａと１３Ｂを連結せずに使用しても所期の目的を達成できることは言うまでもなく、この場合２つの板バネ１３Ａ、１３Ｂを図４に示す左右方向ではなく紙面に対し垂直方向に配置しても良い。即ち、洗浄槽１の幅方向（移動方向と直交する方向）に２つ、要すればそれ以上の弾性体を配置するようにしても同様の引き出し装置を実現することができる。このことは後述する各実施の形態に対しても同様のことがいえる。
【００２８】
実施の形態３．
実施の形態１及び２では板バネの一端を洗浄槽１に固着した場合を説明したが、板バネの一端を筐体２に固着した実施の形態を図５に基づいて説明する。
図５において、第１の板バネ１３Ａ及び第２の板バネ１３Ｂはそれぞれ一端が筐体２に固着されている。図５では洗浄槽１は、係止部２２により第１の状態に係止されており、板バネ１３Ａはその自由端が洗浄槽１に設けられた係合片１４と係合し、洗浄槽１を筐体２から引き出す方向に力が作用するように蓄勢されている。
【００２９】
図示しないが、洗浄槽１が第２の状態に係止されているときは、板バネ１３Ｂはその自由端が洗浄槽１に設けられた係合片１４に係合し、洗浄槽１を筐体２の中に挿入する方向に力が作用するように蓄勢される。
【００３０】
次に動作であるが、実施の形態１と板バネと係合片が入れ替わっているだけであり、動作については略同様であるため説明は省略する。
【００３１】
この実施の形態３によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても係合片１４が板バネ１３Ａ又は１３Ｂに当るときに板バネが緩衝材として働くため洗浄槽１に過大な力が加わることが無く、従って洗浄槽１の中に収容された食器類に与えられる衝撃を緩和するという効果もある。
更に、板バネ１３Ａ又は１３Ｂが係合片１４に係合している状態では、洗浄槽１に引き出し方向又は挿入方向への力のほかに上向きの力も同時に作用し、その上向きの力によって洗浄槽１の重量を軽減することになるので洗浄槽１をより一層小さな力で引き出し、挿入することに寄与すると同時に、洗浄槽１を支持しているレール１５とローラ１６の負担も軽減する効果がある。
【００３２】
実施の形態４．
実施の形態３では洗浄槽１に係合片を１つだけ設けた例を示したが、２つの係合片を設けた実施の形態を図６に基づいて説明する。
図６において、第１の係合片１４Ａ及び第２の係合片１４Ｂが洗浄槽１に設けられている。図６では洗浄槽１は、係止部２２により第１の状態に係止されており、板バネ１３Ａの自由端は第１の係合片１４Ａに係合し、洗浄槽１を筐体２から引き出す方向に力が作用するように蓄勢されている。
【００３３】
図示しないが、洗浄槽１が第２の状態に係止されているときは、板バネ１３Ｂの自由端が第２の係合片１４Ｂに係合し、洗浄槽１を筐体２の中に挿入する方向に力が作用するように蓄勢される。
【００３４】
次に動作であるが、実施の形態３と係合片の数が異なっているだけであり、動作については略同様であるため説明は省略する。
【００３５】
この実施の形態４によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても板バネ１３Ａ及び１３Ｂが緩衝材として働くため洗浄槽１に過大な力が加わることが無く、従って洗浄槽１の中に収容された食器類に与えられる衝撃を緩和するという効果もある。
また、食器洗い機の筐体内はモータ等の部品が設置されており、板バネ１３Ａ、１３Ｂの取付位置を適切に選択できない場合もあるが、この実施例では係合片１４Ａと１４Ｂの間隔を変えることにより、板バネ１３Ａ、１３Ｂの設置位置の自由度が増すという効果も得られる。
更に、板バネ１３Ａと係合片１４Ａが又は板バネ１３Ｂと係合片１４Ｂが係合している状態では、洗浄槽１に引き出し方向又は挿入方向への力のほかに上向きの力も同時に作用し、その上向きの力によって洗浄槽１の重量を軽減することになるので洗浄槽１をより一層小さな力で引き出し、挿入することに寄与すると同時に、洗浄槽１を支持しているレール１５とローラ１６の負担も軽減する効果がある。
【００３６】
尚、図６では係合片１４Ａと１４Ｂを別々に設けたが、係合片１４Ａと１４Ｂを一体にした長い係合片としても同様の効果が得られる。即ち、板バネ１３Ａと１３Ｂの間隔に見合った長さの１つの係合片にすることと実質的に同一の動作をすることになり、この実施の形態にあっては係合片を１つにするか２つにするかは実質的に違いは無い。
【００３７】
実施の形態５．
実施の形態２では板バネ１３Ａと１３Ｂを双方ともに洗浄槽１に、係合片１４Ａと１４Ｂを双方ともに筐体２に取り付け、実施の形態４では板バネ１３Ａと１３Ｂを双方ともに筐体２に、係合片１４Ａと１４Ｂを双方ともに洗浄槽１に取り付けた例を示したが、板バネ１３Ａと係合片１４Ｂを洗浄槽１に、板バネ１３Ｂと係合片と１４Ａを筐体２に設けても良く、その実施の形態５を図７について説明する。
【００３８】
図７において、第１の板バネ１３Ａ及び第２の係合片１４Ｂが洗浄槽１に設けられており、第２の板バネ１３Ｂ及び第１の係合片１４Ａが筐体２に設けられている。図７では洗浄槽１は、係止部２２により第１の状態に係止されており、第１の板バネ１３Ａの自由端は第１の係合片１４Ａに係合し、洗浄槽１を筐体２から引き出す方向に力が作用するように蓄勢されている。
【００３９】
図示しないが、洗浄槽１が第２の状態に係止されているときは、第２の板バネ１３Ｂの自由端が第２の係合片１４Ｂに係合し、洗浄槽１を筐体２の中に挿入する方向に力が作用するように蓄勢される。
【００４０】
次に動作であるが、実施の形態４と板バネと係合片の取り付け場所が異なっているだけであり、動作については略同様であるため説明は省略する。
【００４１】
また、図８のように第１の板バネ１３Ａ並びに第１の係合片１４Ａ及び第２の板バネ１３Ｂ並びに第２の係合片１４Ｂの取り付け場所を各々逆に取り付けてもよい。
【００４２】
この実施の形態５によれば、小さな力による洗浄槽１の引き出し及び挿入操作が可能となり、しかもこの操作を両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても板バネ１３Ａ及び１３Ｂが緩衝材として働くため洗浄槽１に過大な力が加わることが無く、従って洗浄槽１の中に収容された食器類に与えられる衝撃を緩和するという効果もある。
更に、板バネと係合片の取り付け場所の自由度が増すという効果もある。
【００４３】
実施の形態６．
実施の形態１〜５は弾性体として板バネ使用した場合であるが、ねじりバネを使用した実施の形態を図９に基づいて説明する。
図９において、第１のねじりバネ１３Ｃと第２のねじりバネ１３Ｄは洗浄槽１に取り付けられているねじりバネ押え具１８にそれぞれ一端が当接するように洗浄槽１に取り付けられている。洗浄槽１は図示しない係止部２２により第１の状態に係止されており、第１のねじりバネ１３Ｃはねじりバネ押え具１８と筐体２に設けられた第１の係合片１４Ａとの間で圧縮され、洗浄槽１を筐体２から引き出す方向に力が作用するように蓄勢されている。第２のねじりバネ１３Ｄは蓄勢されていない状態にある。
【００４４】
図示しないが、洗浄槽１が第２の状態に係止されているときは、ねじりバネ１３Ｄは筐体２に設けられた第２の係合片１４Ｂとねじりバネ押え具１８の間で圧縮され、洗浄槽１を筐体２に挿入する方向に力が作用するように蓄勢される。このときねじりバネ１３Ｃは蓄勢されていない状態になる。
【００４５】
次に動作であるが、前述の各実施の形態で説明した弾性体が板バネであるか、ねじりバネであるかの違いであり、動作については同様であるため説明は省略する。
【００４６】
この実施の形態６によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしてもねじりバネ１３Ｃ又はねじりバネ１３Ｄが緩衝材として働くため洗浄槽１に過大な力が加わることが無く、従って洗浄槽１の中に収容された食器類に与えられる衝撃を緩和するという効果もある。
尚、図９ではねじりバネを洗浄槽１に取り付けた例を説明したが、図１０に示すようにねじりバネ１３Ｃ、１３Ｄを筐体２に取り付け、各ねじりバネを筐体２に取り付けた第１のバネ受け１９と洗浄槽１に取り付けた係合片１４の間、又は筐体２に取り付けた第２のバネ受け２０と係合片１４の間で蓄勢するようにしても同様の効果が得られる。尚、図９及び図１０は関係部分のみ図示している。
【００４７】
実施の形態７．
実施の形態１〜６は弾性体として板バネ又はねじりバネを使用した場合であるが、圧縮コイルバネを使用した実施の形態を図１１に基づいて説明する。
図１１において、洗浄槽１は係止部２２により第１の状態に係止されており、第１の圧縮コイルバネ１３Ｅは洗浄槽１に設けられた係合片１４と筐体２に設けられた第１のバネ受け１９の間で圧縮され、洗浄槽１を筐体２から引き出す方向に力が作用するように蓄勢されている。第２の圧縮コイルバネ１３Ｆは係合片１４と筐体２に設けられた第２のバネ受け２０の間にあって蓄勢されていない状態にある。
【００４８】
圧縮コイルバネ１３Ｅは蓄勢される場合は一端が係合片１４、他端がバネ受け１９に圧接する。また圧縮コイルバネ１３Ｆは蓄勢される場合は一端が係合片１４、他端がバネ受け２０に圧接する。通し棒２１は係合片１４をゆるく貫通して、一端がバネ受け１９に、他端がバネ受け２０に連結されている。圧縮コイルバネ１３Ｅ，圧縮コイルバネ１３Ｆは無用の移動を防ぐため通し棒２１に挿通されて、係合片１４とバネ受け１９ならびに係合片１４とバネ受け２０の間に配置される。こうすることにより圧縮コイルバネ１３Ｅ及び圧縮コイルバネ１３Ｆが確実に圧縮されるようにしている。
【００４９】
図示しないが、洗浄槽１が第２の状態に係止されているときは、圧縮コイルバネ１３Ｆは係合片１４とバネ受け２０の間で圧縮され、洗浄槽１を筐体２に挿入する方向に力が作用するように蓄勢される。このとき圧縮コイルバネ１３Ｅは洗浄槽１の係合片１４とバネ受け１９の間にあって蓄勢されていない状態になる。また、この実施の形態では圧縮コイルバネ１３Ｅ及び１３Ｆの両端はバネ受け１９、係合片１４及びバネ受け２０、係合片１４のいずれにも固着されていない場合を示している。
【００５０】
次に動作であるが、実施の形態１で説明した弾性体が板バネであるか、圧縮コイルバネであるかの違いであり、動作については同様であるため説明は省略する。
【００５１】
この実施の形態７によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても圧縮コイルバネ１３Ｅ又は圧縮コイルバネ１３Ｆが緩衝材として働くため洗浄槽１に過大な力が加わることが無く、従って洗浄槽１の中に収容された食器類に与えられる衝撃を緩和するという効果もある。
更に、圧縮コイルバネが圧縮された状態より長さが短くならないため洗浄槽１を受け止める耐量が大きいという効果がある。
【００５２】
尚、上記実施の形態７では圧縮コイルバネ１３Ｅ、１３Ｆの両端をいずれも固着しないものとしたが、圧縮コイルバネ１３Ｅの一端をバネ受け１９又は係合片１４に、圧縮コイルバネ１３Ｆの一端をバネ受け２０又は係合片１４に固着するものとしても同様の効果が期待できる。また、バネ受け１９と２０の間に通し棒２１を複数本設け、各通し棒２１にそれぞれ圧縮コイルバネ１３Ｅ、１３Ｆを配置することもでき、これによれば実施の形態２で述べた複数の板バネの効果と同様の効果が得られる。
また、この実施の形態７では弾性体として圧縮コイルバネを使用した例を説明したが、圧縮コイルバネの代わりにシリコン樹脂など弾性を有した樹脂、或いはゴムを使用して構成することもできる。
【００５３】
実施の形態８．
実施の形態７では洗浄槽１の移動方向に１組の圧縮コイルバネを使用した例を示したが、圧縮コイルばねの代わりに１組の空気バネを使用した実施の形態を図１２に基づいて説明する。
図１２において、第１の空気バネ１３Ｇと第２の空気バネ１３Ｈは筐体２の設けられた第１のバネ受け１９と第２のバネ受け２０に各々固着されている。洗浄槽１は図示しない係止部２２により第１の状態に係止されており、第１の空気バネ１３Ｇは洗浄槽１に設けられた係合片１４と第１のバネ受け１９の間で圧縮され、洗浄槽１を筐体２から引き出す方向に力が作用するように蓄勢されている。第２の空気バネ１３Ｈは蓄勢されていない状態にある。
【００５４】
図示しないが、洗浄槽１が第２の状態に係止されているときは、空気バネ１３Ｈは係合片１４とバネ受け２０の間で圧縮され、洗浄槽１を筐体２に挿入する方向に力が作用するように蓄勢される。このとき空気バネ１３Ｇは蓄勢されていない状態になる。
【００５５】
次に動作であるが、実施の形態１で説明した弾性体が板バネであるか、空気バネであるかの違いであり、動作については同様であるため説明は省略する。
【００５６】
この実施の形態８によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても空気バネ１３Ｇ又は空気バネ１３Ｈが緩衝材として働くため洗浄槽１に過大な力が加わることが無く、従って洗浄槽１の中に収容された食器類に与えられる衝撃を緩和するという効果もある。
【００５７】
実施の形態９．
実施の形態７では洗浄槽１の移動方向の前後に１組の圧縮コイルバネを使用した例を示したが、１つの引張コイルバネを使用した実施の形態を図１３に基づいて説明する。
図１３において、洗浄槽１は係止部２２により第１の状態に係止されており、引張コイルバネ１３Ｊはその一端が洗浄槽１に設けられた第１の係合部２４に固着され、他端が筐体２の上辺に設けられた第２の係合部２５に取り付けられている。そして引張コイルバネ１３Ｊは、図１３の状態では伸張して、洗浄槽１に図１３の上方向と右方向即ち筐体２から洗浄槽１を引き出す方向とに力を作用させている。係合部２４は洗浄槽１に固着され、一方係合部２５は洗浄槽１が移動する方向の所定範囲において摺動自在である摺動部２６に取り付けられている。洗浄槽１は前述したようにレール１５及びローラ１６により保持されているから前記引張コイルバネ１３Ｊによる上方向の力は、レール１５とローラ１６の負担を軽減すると共に、洗浄槽１の重量を軽減することになるので洗浄槽１をより一層小さな力で引き出し、挿入することにも寄与する。
【００５８】
図１４は、この実施の形態において洗浄槽１が筐体２の開口部３を介して外に引き出され、ラッチピン５が圧縮バネ６の伸張により洗浄槽１に設けられている第２のストッパー穴９に陥入されて、洗浄槽１を第２の状態に係止している状態を示す図である。このとき、引張コイルバネ１３Ｊは伸張して、洗浄槽１に図中上方向と左方向即ち筐体２に洗浄槽１を挿入する方向とに力を作用させている。係合部２５は、図１４においては摺動部２６の右端まで摺動している。
【００５９】
次に動作であるが、今まで述べた実施の形態と略同様であるため説明は省略する。
【００６０】
この実施の形態９によれば、小さな力による洗浄槽１の引き出し及び挿入操作が可能となり、しかもこの操作は両手を使うことなく片手で行うことができ、操作の負担の少ない食器洗い機の引き出し装置を提供することが出来る。
また、洗浄槽１を引き出す際、及び挿入する際に誤って強い力で引き出したり、挿入したりしても引張コイルバネ１３Ｊが伸張して緩衝材として働くため洗浄槽１に過大な力が加わることが無く、従って洗浄槽１の中に収容された食器類に与えられる衝撃を緩和するという効果もある。
また、引張コイルバネ１３Ｊにより洗浄槽１に上向きの力も同時に作用し、その上向きの力によって洗浄槽１の重量を軽減することになるので洗浄槽１をより一層小さな力で引き出し、挿入することに寄与すると同時に、洗浄槽１を支持しているレール１５とローラ１６の負担も軽減する効果がある。
また、１つの引張コイルバネで構成できるため構成を簡略化でき、コストを下げることができるという効果がある。
更に、係合部２５は摺動部２６に取り付けられ、摺動部２６は洗浄槽１が移動する方向の所定範囲内において摺動可能であるため、摺動部２６の位置及び長さを適切に設定することにより、係合部２４の位置、引張コイルバネ１３Ｊの長さ及び強さの選択に自由度が増すという効果がある。
【００６１】
この実施の形態９では摺動部２６を筐体２の上辺に設けるものとしているが、図１５に示すように筐体２の上辺に係合部２５を固着すると共に、摺動部２６を洗浄槽１側に設け、この摺動部２６に係合部２４を取り付けるようにしても同様の効果が得られる。
図１５では摺動部２６と係止部２３が交錯しているように見えるが、食器洗い機を上から見ると、図１６に示すように洗浄槽１の上部の開口部は洗浄槽１を引き出したときに筐体２の外に出る部分３０だけでよいため、洗浄槽１の開口していない上部３１に摺動部２６を備えるようにして係止部２３と交錯しないように構成することができる。
また、引張コイルバネ１３Ｊを洗浄槽１の両側に、即ち図１６でいえば上下に２つ設けるようにしても同様の効果が得られる。のみならず、こうすることによって洗浄槽１の構造上の自由度が増すという更なる効果が期待できる。
【００６２】
尚、引張コイルバネ１３Ｊの長さ及び強さを適切に選択でき、係合部２４及び係合部２５の取付位置に制約がない場合は、摺動部２６を省略し、係合部２４及び係合部２５を洗浄槽１及び筐体２の上辺にそれぞれ固着するように構成することもできる。
また、洗浄槽１及び筐体２の上辺それぞれに摺動部２６を設け、係合部２４及び係合部２５が双方とも摺動自在となるように構成することも考えられ、こうすれば係合部２４、２５の位置、引張コイルバネ１３Ｊの長さ及び強さの選択に一層の自由度が増すことが期待できる。
【００６３】
実施の形態１０．
上記実施の形態では引き出し体である洗浄槽１を引き出すための引き出し用ノブ１１及び挿入するための挿入用ノブ１２を別々に設け、それぞれのノブに連動する解除片１１Ｂ及び１２Ｂによって係止部２２及び２３の係止を解除する構成としたが、１つのノブによりそれを実現できる実施の形態を図１７に基づいて説明する。
図１７は、洗浄槽１が収納体である筐体２の開口部３を介して筐体２内に挿入され、係止されている所謂第１の状態を示している。係止部２２の係止を解除する解除片１１Ｂと係止部２３の係止を解除する解除片１２Ｂは連結部４０で回動自在に連結され、解除片１１Ｂは取付部１１Ａにより洗浄槽１に回動自在に取り付けられている。解除片１２Ｂは解除片１２Ｂに設けられた楕円穴４１を介して取付部１２Ａにより洗浄槽１に回動自在に取り付けられている。解除片１１Ｂはノブ１１の動きに連動し、ノブ１１を引き上げると解除片１１Ｂは取付部１１Ａを支点にして図１７に示す位置から反時計方向に回動し、一方解除片１２Ｂは解除片１２Ｂに設けられた楕円穴４１内を少々動くが取付部１２Ａを支点として時計方向に回動し得るように構成されている。
【００６４】
次に動作について説明する。ノブ１１を上に押し上げると解除片１１Ｂは取付部１１Ａを支点に反時計方向に回動し、実施の形態１で説明したと同様に係止部２２の係止を解除し、洗浄槽１は移動可能な状態になる。
図示しないが、洗浄槽１が第２の状態に係止されているときは、ノブ１１を上に押し上げると解除片１１Ｂは取付部１１Ａを支点に反時計方向に回動し、同時に解除片１２Ｂは連結部４０により解除片１１Ｂに連結されているため、解除片１１Ｂが反時計方向に回動すると、取付部１２Ａを支点に時計方向に回動して係止部２３の係止を解除し、洗浄槽１は移動可能な状態になる。解除片１１Ｂとの連結により回動する解除片１２Ｂは若干位置が移動するが、解除片１２Ｂに設けられた楕円穴４１によりその移動を許容し、スムーズに回動するようにしている。
その他の動作については今まで述べた実施の形態と同様であるため説明は省略する。
【００６５】
この実施の形態１０によれば、他の実施の形態における効果に加え、洗浄槽１を引き出すときの係止の解除と挿入するときの係止の解除を１つのノブで、しかも同じ操作で行うことができ、操作性のよい食器洗い機の引き出し装置を提供することが出来る。
スライドピン８と１０はノブ１１の操作により常に同時に動作するが、係止されていない方のスライドピンの動きは意味の無いものではあるものの本発明の効果に悪影響を及ぼすものではない。
【００６６】
尚、この実施の形態では、第１の係止を解除する解除片１１Ｂと第２の係止を解除する解除片１２Ｂをリンク構造で連結して同時に動作するようにしたが、この２つの解除片を一体物にして構成することもできる。こうすることによって、部品数を削減でき、構成を簡略にすることができるという効果がある。
即ち図１８に示すように解除片１１Ｂは一体物であり、洗浄槽１に取付部１１Ａで回動自在に取り付けられている。ノブ１１と解除片１１Ｂは連動し、第１の係止部２２における係止の解除を行うときはノブ１１を上向きに、第２の係止部２３における係止の解除を行うときはノブ１１を下向きに操作するとよい。
【００６７】
また、図１９に示すように解除片１１ＢをＬ字形の構成とし、その折曲部をガイド６１により支持する。一方、ノブ１１を前記解除片１１Ｂの折曲端に設けた係合穴６２にゆるく通すと共に取付部１１Ａを支点にして回動するように洗浄槽１に取り付けることにより、ノブ１１を上方向に操作することによって係止部２２及び係止部２３による係止を同じ方向のノブ操作によって解除することができる。説明が前後したが、解除片１１Ｂは図１９には図示していないが圧縮バネ６及び自重により常時下向きに付勢されている。
【００６８】
また、図１９ではスライドピン８及び１０は、ラッチピン５により押圧されているとき以外は自重により洗浄槽１のストッパー穴７及び９の中に入り込んでいるが、バネ等により強制的にストッパー穴の中に入り込むようにすることもできる。
図２０に示すように解除片１１Ｂを四角形で構成してストッパー穴９を下向きにする事もできるが、この場合図に示す通りスライドピン１０は上下部を太くしてバネ６３によって図の上方向の力を与えてスライドピン１０がストッパー穴９から飛び出ないようにしている。解除片１１Ｂはノブ１１の操作によって若干左右に振れて動くがガイド６１によってその動きを制御しスムーズに所定の動作をするようにしている。こうすることにより係止部の位置に関する自由度が増すという効果がある。尚、図２０においては解除片１１Ｂを四角形状としたが、ノブ１１をゆるく通すための係合穴６２の部分及びスライドピン１０が当接する部分を残して図の右下部（図中６４で示す部分）を省略した略Ｃ字形としても同様の動作が実現でき、これによれば省略した部分だけ重量が軽減できる。
尚、図１９及び図２０は関係部分のみ図示している。また、実施の形態１〜１０の説明図では、圧縮バネ６を圧縮コイルバネで図示していたが、圧縮に対する弾性を有するものであれば同様の構成ができることは言うまでもない。
【００６９】
実施の形態１１．
図２１はこの発明の実施の形態１１を示す図である。
図２１において、洗浄槽１は収納体である筐体２の開口部３を介して筐体２内に挿入され、第１の状態に係止されている。ノブ１１に連動する解除片１１Ｂは洗浄槽１に取付部１１Ａで回動自在に取り付けられ、両端が解除片１１Ｂの取付部５４と洗浄槽１の取付部５５に係合された引張バネ５３は、解除片１１Ｂに図２１の下向きに力を作用させている。従って、解除片１１Ｂは取付部１１Ａを支点として時計方向に回動し、解除片１１Ｂの先端に設けられたラッチ片５６が筐体２に設けられたストッパー穴５１に嵌入され、洗浄槽１が筐体２から引き出されないように第１の状態に係止されている。即ち、ラッチ片５６、解除片１１Ｂ、ストッパー穴５１及び引張バネ５３により第１の係止部２２を構成している。ここで、ラッチ片５６の先端は、実施の形態１〜１０におけるラッチピン５の先端と同様に筐体２に対して摺動可能な構成とし、洗浄槽１が移動するときには筐体２に設けられたストッパー穴５１と５２の間を自在に摺動して洗浄槽１の移動を妨げない構造となっている。
【００７０】
図２２は、洗浄槽１が筐体２から引き出されて、第２の状態に係止されている状態を示している。図２１の説明と同様に、解除片１１Ｂは引張バネ５３の作用により取付部１１Ａを支点として時計方向に回動し、その先端に設けられたラッチ片５６は筐体２に設けられたストッパー穴５２に嵌入され、洗浄槽１が筐体２に挿入されないよう第２の状態に係止されている。即ち、ラッチ片５６、解除片１１Ｂ、ストッパー穴５２及び引張バネ５３により第２の係止部２３を構成している。ここで、引張バネ５３を使用しているが、取付部５４と５５の位置を変えることにより圧縮バネも利用できることは言うまでもない。
【００７１】
次に動作であるが、ノブ１１を引き上げることにより、解除片１１Ｂは取付部１１Ａを支点として引張バネ５３の作用に抗して反時計方向に回動し、第１の係止部の係止及び第２の係止部における係止の解除を行うことができる。その他の動作については他の実施の形態と同様であるため省略する。    
【００７２】
この実施の形態１１によれば、係止部をラッチピンやスライドピンを使うことなく構成できるため、他の実施の形態における効果に加え、係止部の構成を簡単にすることができ、従って部品数を削減でき、信頼性が高く、低コストの食器洗い機の引き出し装置を提供することができる。
【００７３】
尚、実施の形態１１の筐体２に設けたストッパー穴５１、５２の代わりに凸部を設け、これらとラッチ片５６を係合するようにしても同様の動作を実現できることは言うまでもない。
【００７４】
ところで、上記の各実施の形態では洗浄槽１はレール１５とローラ１６によって筐体２に保持され、移動されるようにしているが、ローラ１６の代わりに筐体２に断面コの字状のガイドレールを取り付けるようにすると、レール１５はガイドレールに抱持され、かつガイドレールに案内されて移動自在となる。こうすることにより、レール１５はガイドレールと重なる部分で保持されるため、保持をより確実なものにすることができるという効果も得られる。
また、図２３及び図２４に示すように、これらの移動をレール１５の後方に固定されたローラ７１および筐体２の前方に固定されたローラ７２を介して行うことにより、より一層洗浄槽１の移動が容易となる。図２３は洗浄槽１が筐体２に挿入された状態を、図２４は引き出された状態を示している。図中７３は筐体２に取り付けられた断面コの字状のガイドレールを示し、ローラ７１はこのガイドレール７３のコの字状のレール内を移動し、ローラ７２にはレール１５が当接して移動する。尚、図２３及び図２４は関係部分のみ図示している。
【００７５】
また、上記の各実施の形態ではこの発明を食器洗い機に適用した場合を示したので、引き出し体である洗浄槽は食器を収容するために箱体であるとしたが、箱体である必要はなく、例えば物を取り付けたり或いは積載するだけの単なる板状の引き出し体であってもこの発明を同様に適用することができる。更に、食器洗い機以外に、冷蔵庫の野菜室等の引き出し体、部品収容引き出し等の引き出し体にも適用できることは言うまでもない。
更にまた、上記各実施の形態ではこの発明を食器洗い機に適用した場合を示したので、収納体は引き出し体を挿入、及び引き出すため一面に開口部を有する筐体であるとしたが、収納体は筐体である必要はなく、少なくとも一面に開口部があればこの発明を適用することができる。
【図面の簡単な説明】
【００７６】
【図１】本発明の実施の形態１を示す食器洗い機の概略側面断面図（洗浄槽が挿入されている第１の状態）である。
【図２】本発明の実施の形態１を示す食器洗い機の概略側面断面図（洗浄槽が移動中の状態）である。
【図３】本発明の実施の形態１を示す食器洗い機の概略側面断面図（洗浄槽が引き出されている第２の状態）である。
【図４】本発明の実施の形態２を示す食器洗い機の概略側面断面図である。
【図５】本発明の実施の形態３を示す食器洗い機の概略側面断面図である。
【図６】本発明の実施の形態４を示す食器洗い機の概略側面断面図である。
【図７】本発明の実施の形態５を示す食器洗い機の概略側面断面図である。
【図８】本発明の実施の形態５における別の形態を示す食器洗い機の概略側面断面図である。
【図９】本発明の実施の形態６を示す食器洗い機の概略側面断面図である。
【図１０】本発明の実施の形態６における別の形態を示す食器洗い機の概略側面断面図である。
【図１１】本発明の実施の形態７を示す食器洗い機の概略側面断面図である。
【図１２】本発明の実施の形態８を示す食器洗い機の概略側面断面図である。
【図１３】本発明の実施の形態９を示す食器洗い機の概略側面断面図（洗浄槽が挿入されている第１の状態）である。
【図１４】本発明の実施の形態９を示す食器洗い機の概略側面断面図（洗浄槽が引き出されている第２の状態）である。
【図１５】本発明の実施の形態９における別の形態を示す食器洗い機の概略側面断面図である。
【図１６】本発明の実施の形態９における別の形態を示す食器洗い機の概略平面図である。
【図１７】本発明の実施の形態１０を示す食器洗い機の概略側面断面図である。
【図１８】本発明の実施の形態１０における別の形態を示す食器洗い機の概略側面断面図である。
【図１９】本発明の実施の形態１０における更に別の形態を示す食器洗い機の概略側面断面図である。
【図２０】本発明の実施の形態１０における更に別の形態を示す食器洗い機の概略側面面図である。
【図２１】本発明の実施の形態１１を示す食器洗い機の概略側面断面図（洗浄槽が挿入されている第１の状態）である。
【図２２】本発明の実施の形態１１を示す食器洗い機の概略側面断面図（洗浄槽が引き出されている第２の状態）である。
【図２３】本発明における洗浄槽の別の支持方法を示す概略側面断面図（洗浄槽が挿入されている第１の状態）である。
【図２４】本発明における洗浄槽の別の支持方法を示す概略側面断面図（洗浄槽が引き出されている第２の状態）である。
【符号の説明】
【００７７】
１  引き出し体である洗浄槽、２  収納体である筐体、３  開口部、１１  引き出し用ノブ、１１Ｂ  解除片、１２  挿入用ノブ、１２Ｂ  解除片、１３  弾性体であるバネ、１３Ａ  第１の板バネ、１３Ｂ  第２の板バネ、１３Ｃ  第１のねじりバネ、１３Ｄ  第２のねじりバネ、１３Ｅ  第１の圧縮コイルバネ、１３Ｆ  第２の圧縮コイルバネ、１３Ｇ  第１の空気バネ、１３Ｈ  第２の空気バネ、１３Ｊ  引張コイルバネ、１４  係合片、１４Ａ  第１の係合片、１４Ｂ  第２の係合片、１８  ねじりバネ押え具、１９  第１のバネ受け、２０  第２のバネ受け、２１  通し棒、２２  第１の係止部、２３  第２の係止部、２４  第１の係合部、２５  第２の係合部、２６  摺動部。
【図１】
2005087265.tif 000003
【図２】
2005087265.tif 000004
【図３】
2005087265.tif 000005
【図４】
2005087265.tif 000006
【図５】
2005087265.tif 000007
【図６】
2005087265.tif 000008
【図７】
2005087265.tif 000009
【図８】
2005087265.tif 000010
【図９】
2005087265.tif 000011
【図１０】
2005087265.tif 000012
【図１１】
2005087265.tif 000013
【図１２】
2005087265.tif 000014
【図１３】
2005087265.tif 000015
【図１４】
2005087265.tif 000016
【図１５】
2005087265.tif 000017
【図１６】
2005087265.tif 000018
【図１７】
2005087265.tif 000019
【図１８】
2005087265.tif 000020
【図１９】
2005087265.tif 000021
【図２０】
2005087265.tif 000022
【図２１】
2005087265.tif 000023
【図２２】
2005087265.tif 000024
【図２３】
2005087265.tif 000025
【図２４】
2005087265.tif 000026